(57)【要約】【課題】送風ガイドを平板状支持部材に固定・支持させる場合の支持構造について、温度変化範囲の広い環境で使用される場合における熱変形問題を効果的に解消できるようにする。【解決手段】送風ガイド支持構造１は、送風機１１による空気流をガイドするために送風機と組み合わせて用いられる送風ガイド１２、及び送風機による空気流の通路となる通気開口部１８が形成された平板状支持部材１４を含み、送風ガイドを平板状支持部材に固定・支持させてなり、そして平板状支持部材を複数の支持片１５で構成することで、送風ガイドの温度変化による熱変形に対する追従性を高める高追従化構造が平板状支持部材に与えられている。【選択図】  図１
2010032138.tif 000002
【特許請求の範囲】
【請求項１】
送風機による空気流をガイドするために前記送風機と組み合わせて用いられる送風ガイド、及び前記送風機による空気流の通路となる通気開口部が形成された平板状支持部材を含み、前記送風ガイドを前記平板状支持部材に固定・支持させてなる送風ガイド支持構造であって、
前記送風ガイドの温度変化による膨張収縮に対する追従性を高める高追従化構造が前記平板状支持部材に与えられていることを特徴とする送風ガイド支持構造。
【請求項２】
前記高追従化構造は、前記平板状支持部材を複数の支持片で構成することにより与えられていることを特徴とする請求項１に記載の送風ガイド支持構造。
【請求項３】
前記送風ガイドの膨張収縮で前記支持片に生じる応力による前記支持片の面方向での変形を生じ易くする柔化部が前記支持片に設けられていることを特徴とする請求項２に記載の送風ガイド支持構造。
【請求項４】
前記柔化部は、前記支持片に設けたビードで形成されていることを特徴とする請求項３に記載の送風ガイド支持構造。
【請求項５】
筐体の内部に設けられた熱交換器、前記熱交換器を通して前記筐体の内部に吸い込まれて前記筐体における吹出し側から吹き出される流れの空気流を生成させるために前記筐体に取り付けられた送風機、前記送風機による前記空気流をガイドするために前記送風機と組み合わせて設けられた送風ガイド、及び前記送風ガイドを固定・支持するために前記筐体に取り付けられた平板状支持部材を備えている空気調和機室外機であって、
前記送風ガイドの温度変化による膨張収縮に対する追従性を高める高追従化構造が前記平板状支持部材に与えられていることを特徴とする空気調和機室外機。
【請求項６】
前記高追従化構造は、前記平板状支持部材を複数の支持片で構成することにより与えられていることを特徴とする請求項５に記載の空気調和機室外機。
【請求項７】
前記送風ガイドの膨張収縮で前記支持片に生じる応力による前記支持片の面方向での変形を生じ易くする柔化部が前記支持片に設けられていることを特徴とする請求項６に記載の空気調和機室外機。
【請求項８】
前記柔化部は、前記支持片に設けたビードで形成されていることを特徴とする請求項７に記載の空気調和機室外機。
【発明の詳細な説明】
【技術分野】
【０００１】
本発明は、送風機が生成する空気流をガイドするために送風機と組み合わせて用いられる送風ガイドの支持構造に係り、例えば空気調和機室外機の場合のように送風機による空気流が大きな温度変化を伴い、それにより大きな温度変化に曝されることになる送風ガイドの支持について特に好適な支持構造に関し、またそのような送風ガイド支持構造を適用した空気調和機室外機に関する。
【背景技術】
【０００２】
送風機は送風ガイドと組み合わされた送風装置として用いられる場合がある。すなわち送風機上流の圧力と送風機下流の圧力の分離、送風機翼面での気流剥離の抑制、空気流の整流などの機能目的で送風機による空気流をガイドする送風ガイドを送風機に組み合わせて送風装置を構成する場合である。
【０００３】
このような送風装置が用いられる機器や装置の代表的な例として、空気調和機の室外機（以下では適宜に室外機又は空気調和機室外機と呼ぶ）がある。室外機は、一般的に、冷凍サイクルが用いられており、函状に形成された筐体に熱交換器、圧縮機、送風機、それに送風ガイドなどを主な要素として組み付けて構成される。そして熱交換器を通して筐体の内部に吸い込まれて筐体の吹出し側から吹き出される流れの空気流を送風機で生成させる一方で、圧縮機からの冷媒ガスを熱交換器に循環させ、その熱交換器において冷媒ガスと空気流の熱交換をなさせるようになっており、また送風機による空気流の吹出しを送風ガイドでガイドするようになっている（例えば特許文献１〜特許文献３）。
【０００４】
【特許文献１】特開２００６−３８２８７号公報
【特許文献２】特開２００５−１２７５７８号公報
【特許文献３】特開平７−６３３７３号公報
【発明の開示】
【発明が解決しようとする課題】
【０００５】
上述のような室外機における送風ガイドは、送風騒音の低減や送風効率の向上などとして高い機能性が求められ、それに応えるために様々な形状が採用され、その形状に応じた構造で筐体に直接的又は間接的に支持される。
【０００６】
室外機における送風ガイドの形状としては、ベルマウス型が代表的なものとしてある。つまりベルマウス状に形成されるベルマウス部と円筒状に形成されるダクト部からなる送風ガイドである。ベルマウス型の送風ガイドの筐体による支持については様々な構造が可能で、その１つとして、ベルマウス部の下縁部を締結用のフランジとして利用し、そして平板状の支持部材を介して筐体に支持させる支持構造がある。具体的には、平板状支持部材を筐体に取り付け、その平板状支持部材に送風ガイドをベルマウス部の下縁部でねじ止めなどにより締結・固定することで、平板状支持部材を介して筐体に送風ガイドを支持させる支持構造である。以下ではこの支持構造を仮に平板状支持部材式支持構造と呼ぶ。
【０００７】
また室外機における送風ガイドは、上述のように様々な形状が採用されることから、形状的な自由度の高い樹脂成形で作製される場合、つまり樹脂製とされる場合が少なくない。そして送風ガイドを樹脂製とした場合、以下のような熱変形問題を発生させる。
【０００８】
室外機では、例えば冷房運転時と暖房運転時とで１００℃近い温度差を生じる場合があるというように、送風機による空気流に大きな温度変化が伴う。このため送風ガイドは大きな温度変化に曝され、その温度変化に応じて熱変形（膨張収縮）を生じることになる。この場合、樹脂製の送風ガイドは、その膨張係数が送風ガイドの支持構造における支持部材（室外機の筐体やそれに送風ガイド支持用として取り付けられる平板状支持部材などで、金属製であるのが通常）の膨張係数と大きく異なることが影響してその支持部材とは大きく異なる熱変形を生じる可能性がある。
【０００９】
例えば上述した平板状支持部材式支持構造の場合、平板状支持部材との熱変形の相違の程度によっては、ねじ止めなどによる締結部の間でベルマウス部の下縁部が反り上がるような波打変形を生じ、そのために送風機による空気流に風漏れを生じて送風効率を低下させたり、またねじ止めの場合のねじ孔が長孔状に拡張して締結に緩みを生じ、そのために振動し易くなる状態を招いたり、さらには変形による応力が集中する締結部から送風ガイドが破損する事態を招いたりするなどの可能性がある。
【００１０】
このような熱変形問題については、例えば平板状支持部材式支持構造の場合で、送風ガイドを平板状支持部材にねじ止めで締結・固定する場合であれば、ねじ孔を長孔にして締結に遊びを持たせ、その締結遊びで送風ガイドと平板状支持部材の熱変形の相違を吸収できるようにする構造が有効である。しかし、締結に遊びを持たせる構造は、室外機で最も避ける必要のある振動問題を悪化させることにつながるなどの不具合を招き、実際的には採用できない。こうしたことから熱変形問題を効果的に解消できるような支持構造、つまり十分な締結力を確保しつつ、送風ガイドの熱変形による悪影響を実質的に避けることができるような支持構造が求められる。
【００１１】
本発明は、このような要求に応えるべくなされたものであり、送風機に送風ガイドを組み合わせてなる送風装置における送風ガイドの支持構造、特に平板状支持部材式支持構造について、室外機のような温度変化範囲の広い環境で使用される場合における熱変形問題を効果的に解消できるようにすることを第１の課題とし、また平板状支持部材式支持構造を有する室外機について、その平板状支持部材式支持構造における熱変形問題を効果的に解消できるようにすることを第２の課題としている。
【課題を解決するための手段】
【００１２】
平板状支持部材式支持構造の場合、熱変形問題は、送風機による空気流の温度変化により送風ガイドと平板状支持部材の間で熱変形について大きな相違が生じることを遠因とし、送風ガイドの変形に平板状支持部材の変形が追従できないことを直接の原因として引き起こされる。したがって平板状支持部材式支持構造の場合、送風ガイドの熱変形に対する追従性を高める構造を平板状支持部材に与えてやれば、熱変形問題を効果的に解消することが可能である。
【００１３】
本発明では以上のような考え方に基づいて上記第１の課題を解決する。すなわち本発明による送風ガイド支持構造は、送風機による空気流をガイドするために前記送風機と組み合わせて用いられる送風ガイド、及び前記送風機による空気流の通路となる通気開口部が形成された平板状支持部材を含み、前記送風ガイドを前記平板状支持部材に固定・支持させてなり、そして前記送風ガイドの温度変化による膨張収縮に対する追従性を高める高追従化構造が前記平板状支持部材に与えられていることを特徴としている。
【００１４】
平板状支持部材式支持構造では、平板状支持部材が送風機による空気流の通路となる通気開口部を有することになる。このような平板状支持部材に送風ガイドを固定するには、平板状支持部材における通気開口部の周縁に沿ってなされるねじ止めなどで送風ガイドを平板状支持部材に締結することになるのが通常である。一方、平板状支持部材は、例えば室外機の場合であれば、函状の筐体に取り付けられ、その取付けは、平板状支持部材の周縁部に沿ってなされるねじ止めなどで平板状支持部材を筐体に締結することでなされるのが通常である。
【００１５】
このような支持構造にあっては、例えば平板状支持部材を複数の支持片に分割する、つまり個々に独立にした複数の支持片で平板状支持部材を構成するなどして、平板状支持部材を複数の支持片で構成するようにすれば、振動の増加を招くことのない十分な支持強度を確保しつつ、送風ガイドの熱変形に対する平板状支持部材の追従性を高めることが可能となる。すなわち各支持片が片持ち梁化し、送風ガイドの熱変形による大きな応力を受けた際には各支持片が片持ち梁状態であることにより撓み易く、これにより送風ガイドの熱変形に対する平板状支持部材の追従性が高まり、その一方で、支持強度については、振動の増加を招くことのないような十分な支持強度を確保することができる。
【００１６】
こうしたことから本発明では上記のような送風ガイド支持構造について、前記高追従化構造は、前記平板状支持部材を複数の支持片で構成することにより与えるのを好ましい形態とする。
【００１７】
高追従化構造を平板状支持部材の支持片化で与える場合、上述のような片持ち梁状態での撓みによる変形追従性に加えて、個々の支持片に面方向での変形性も与えることで、さらに変形追従性を高めることができる。こうしたことから本発明では上記のような送風ガイド支持構造について、前記送風ガイドの膨張収縮で前記支持片に生じる応力による前記支持片の面方向での変形を生じ易くする柔化部を前記支持片に設けるのを好ましい形態とする。
【００１８】
支持片の柔化部は、例えばビードやスリットを支持片に設けることで形成することができ、特にビードで形成する場合はそのビードを支持片の剛性を高めるのにも機能させることができる。こうしたことから本発明では上記のような送風ガイド支持構造について、前記柔化部は、前記支持片に設けたビードで形成するのを好ましい形態とする。
【００１９】
また本発明では上記第２の課題を解決するために、上記のような送風ガイド支持構造を空気調和機の室外機に適用するものとしている。すなわち本発明による空気調和機室外機は、筐体の内部に設けられた熱交換器、前記熱交換器を通して前記筐体の内部に吸い込まれて前記筐体における吹出し側から吹き出される流れの空気流を生成させるために前記筐体に取り付けられた送風機、前記送風機による前記空気流をガイドするために前記送風機と組み合わせて設けられた送風ガイド、及び前記送風ガイドを固定・支持するために前記筐体に取り付けられた平板状支持部材を備えてなり、そして前記送風ガイドの温度変化による膨張収縮に対する追従性を高める高追従化構造が前記平板状支持部材に与えられていることを特徴としている。
【００２０】
このような空気調和機室外機では、送風ガイドの支持を平板状支持部材式支持構造とし、筐体に直接的に送風ガイドを支持させるのでなく、平板状支持部材を介在させることで間接的に送風ガイドを筐体に支持させている。このため送風ガイドを形状的自由度の高い樹脂成形品とする場合に、送風ガイドの成形金型の小型簡素化を図れ、また筐体寸法の異なる機種間での送風ガイドの共用化が容易となる。ただ、このような平板状支持部材式支持構造には熱変形問題が伴うことになるが、それは平板状支持部材に高追従化構造を与えたことにより、上述のような理由から、効果的に解消することができる。
【００２１】
また本発明では、上述のような理由から、上記のような空気調和機室外機について、前記高追従化構造は、前記平板状支持部材を複数の支持片で構成することにより与えるのを好ましい形態とし、また前記送風ガイドの膨張収縮で前記支持片に生じる応力による前記支持片の面方向での変形を生じ易くする柔化部を前記支持片に設けるのを好ましい形態とし、また前記柔化部は、前記支持片に設けたビードで形成するのを好ましい形態とする。
【発明の効果】
【００２２】
以上のような本発明によれば、平板状支持部材式支持構造について、空気調和機室外機のような温度変化範囲の広い環境で使用される場合における熱変形問題を効果的に解消することができ、また平板状支持部材式支持構造を有する空気調和機室外機について、その平板状支持部材式支持構造における熱変形問題を効果的に解消することができる。
【発明を実施するための最良の形態】
【００２３】
以下、本発明を実施するための形態について説明する。図１〜図３に、第１の実施形態による送風ガイド支持構造１を適用した空気調和機の室外機２の構成を簡略化して示す。なお、図１では室外機２の部分的分解の斜視状態を示し、図２では、図２の（ａ）で室外機２の平面断面視状態を示し、図２の（ｂ）で室外機２の側面断面視状態を示し、図３では送風ガイド支持構造１を部分的に拡大した側面断面視状態として示している。ただし、断面についてのハッチングは省略してある。
【００２４】
まず室外機２の一般的な構成の概略について説明する。室外機２は、上方吹出しタイプで、函状に形成された筐体３を有し、この筐体３の上方側を吹出し側とし、そこに送風ユニット（送風装置）４が組み付けられ、また筐体３の内部に熱交換器５、圧縮機６、冷媒容器７などが組み付けられ、さらに送風ユニット４の周縁部を化粧カバー８で覆うようにされている。なお、図１では圧縮機６や冷媒容器７などの図示を省略してある。
【００２５】
送風ユニット４は、軸流型の送風機１１にベルマウス型の送風ガイド１２を組み合わせて構成され、図２の（ｂ）に示すような空気流Ｆ、つまり筐体３の左右各側面と背面のそれぞれに設けられた通気部１３（図２の（ａ））を通して外気を筐体３の内部に吸い込み、それを筐体３の吹出し側、つまり上方側から吹き出す流れとなる空気流Ｆを形成させる。
【００２６】
熱交換器５は、開放側が幅広となるＵ字形の断面を有する形状に形成されており、圧縮機６からの冷媒ガスが循環するようにされ、筐体３の左右各側面と背面に沿うように配置されている。したがって熱交換器５は、空気流Ｆとして筐体３に吸い込まれる外気と接触することになる。そしてその接触により空気流Ｆと熱交換器５を循環している冷媒ガスの間で熱交換がなされる。
【００２７】
以下では送風ユニット４の詳細について説明する。送風ユニット４は、上述のように、送風機１１に送風ガイド１２を組み合わせて構成されており、その送風ガイド１２について送風ガイド支持構造１を形成していることに特徴の一つがある。送風ガイド支持構造１は、平板状支持部材１４を介して筐体３に送風ガイド１２を支持させる構造となっている。具体的には以下のとおりである。
【００２８】
平板状支持部材１４は、それぞれ金属製である独立した２個の支持片１５、１５で構成されており、全体として筐体３の上面とほぼ同じサイズとなるようにされ、筐体３における前後一対の支持ステー１６、１６にねじ止めなどにより取り付けられている。つまり平板状支持部材１４における支持片１５、１５がそれぞれ支持ステー１６、１６にねじ止めなどにより取り付けられている。また平板状支持部材１４は、支持片１５、１５のそれぞれに円弧状の部分開口部１７を形成することで、空気流Ｆの通路となる円形状の通気開口部１８が形成されている。
【００２９】
このような平板状支持部材１４は、熱交換器５の形状と関連して塞ぎ板の機能も兼ねている。すなわち、上述のように熱交換器５は開放側が幅広となるＵ字形の断面を有する形状とされているが、これは、室外機２を複数並べて設置する場合に隣接の空気調和機室外機が外気の吸い込みに干渉するのを避けるために上方吹出しタイプの空気調和機室外機で一般的に用いられている形状である。熱交換器５がこのような形状とさていることから、熱交換器５と筐体３の間には、図２に示すような断面が三角形の隙間１９を生じることになり、この隙間１９が通風路になると熱交換器５における外気との熱交換効率が低下する。そこで隙間１９が通風路になるのを防ぐために、平板状支持部材１４に塞ぎ板の機能も兼ねさせることで、隙間１９を塞ぐことができるようにしている。
【００３０】
一方、送風ガイド１２は、ベルマウス型であり、ベルマウス状とされたベルマウス部２１と円筒状とされたダクト部２２からなり、その形状が複雑であることから、形状的な自由度の高い樹脂成形による樹脂製とされている。そしてこの送風ガイド１２は、ベルマウス部２１の下縁部を締結用のフランジとして利用することで、平板状支持部材１４に固定されている。具体的には、ベルマウス部２１の下縁部にねじ孔２３を複数設ける一方で、ねじ孔２３と対応する螺合孔２４を平板状支持部材１４の各支持片１５、１５に設け、これらのねじ孔２３と螺合孔２４を用いた止めねじ２５（図２、図３）によるねじ止めで送風ガイド１２を平板状支持部材１４に締結して固定している。
【００３１】
以上のような送風ガイド支持構造１では、送風ガイド１２と平板状支持部材１４が曝される空気流Ｆに大きな温度変化が伴う。したがって送風ガイド１２と平板状支持部材１４には、「変形量＝変形方向の長さ×線膨張係数×温度差」として与えられる熱変形（膨張収縮）を生じることになる。この場合、送風ガイド１２と平板状支持部材１４は、線膨張係数が異なり、また形状が異なることから、熱変形の状態が大きく異なることになるが、これを放置すると、熱変形問題を招くおそれがある。すなわち、ねじ止めによる締結部の間でベルマウス部２１の下縁部が反り上がる波打変形を生じ、そのために空気流Ｆに風漏れを生じて送風効率を低下させたり、またねじ孔２３が長孔状に拡張して締結に緩みを生じ、そのために振動し易くなる状態を招いたり、さらには変形による応力が集中する締結部から送風ガイド１２が破損する事態を招いたりする、といった熱変形問題である。ただ、このような熱変形問題は、送風ガイド１２の熱変形に平板状支持部材１４が追従できないことが直接の原因として引き起こされものであることから、送風ガイド１２の熱変形に対する追従性を高める構造を平板状支持部材１４に与えてやることで効果的に解消することが可能である。
【００３２】
こうした考え方に基づいて送風ガイド支持構造１では、それぞれ独立した２個の支持片１５、１５により平板状支持部材１４を構成するという高追従化構造が平板状支持部材１４に与えられている。すなわち各支持片１５、１５が片持ち梁化し、送風ガイド１２の熱変形による大きな応力を受けた際には各支持片１５、１５が片持ち梁状態であることにより、図３中に示す矢印Ａの方向に撓み易く、したがって送風ガイド１２の熱変形、特にベルマウス部２１の径が拡大する方向での変形に対する平板状支持部材１４の追従性が高まり、このことより熱変形問題を効果的に解消することが可能となり、しかもその一方で、支持強度については、振動の増加を招くことのないような十分な支持強度を平板状支持部材１４に確保することができる。
【００３３】
また送風ガイド支持構造１では、筐体３に直接的に送風ガイド１２を支持させるのでなく、平板状支持部材１４を介在させることで間接的に送風ガイド１２を筐体３に支持させることになっている。このため送風ガイド１２の樹脂成形における成形金型の小型簡素化を図れ、また筐体寸法の異なる機種間での送風ガイド１２の共用化が容易となる。
【００３４】
ここで、以上の実施形態では、それぞれ独立した２個の支持片１５、１５で構成することで平板状支持部材１４に高追従化構造を与えていたが、このようにすることは必ずしも必要でない。例えば図４に示す平板状支持部材２６のように、通気開口部１８につながる部分的な切込み２７を入れることで、非独立的な支持片２８、２８を形成するような形態とするようにしてもよい。また支持片の数については２個に限らず、それより多くするようにしてもよい。
【００３５】
次に、第２の実施形態について説明する。図５と図６に示すように、第２の実施形態による室外機３１における送風ガイド支持構造３２では、平板状支持部材１４における支持片１５、１５のそれぞれに、円弧状の部分開口部１７に沿う方向に延在するようにしたビード３３を設ける。このビード３３は、柔化部であり、送風ガイド１２の熱変形で支持片１５に生じる応力による支持片１５の面方向（図６中に矢印Ｂで示す方向）での変形を生じ易くするのに機能する。このようなビード３３を設けたことにより、上述のような片持ち梁状態での各支持片１５の撓みによる変形追従性に加えて、各支持片１５の面方向での変形追従性も高めることができ、したがって平板状支持部材１４の送風ガイド１２に対する変形追従性をさらに高めることができる。またビード３３が平板状支持部材１４の曲げ剛性を高めるのにも役立つことから、送風ガイド支持構造３２では、平板状支持部材１４による送風ガイド１２の支持がより安定的なものとなる。
【００３６】
なお、以上の構成などを除いて本実施形態における室外機３１や送風ガイド支持構造３２は、第１の実施形態における室外機２や送風ガイド支持構造１と同様であり、室外機２や送風ガイド支持構造１と共通する構成などについては図１〜図３におけるのと同一の符号を付して示し、上での説明を援用するものとする。
【００３７】
次に、第３の実施形態について説明する。図７と図８に示すように、第３の実施形態による室外機４１における送風ガイド支持構造４２では、平板状支持部材１４における支持片１５、１５のそれぞれに、円弧状の部分開口部１７に交差する方向に延在するようにしたビード４３を複数設ける。これらのビード４３は、第２の実施形態におけるビード３３と同様な柔化部であり、送風ガイド１２の熱変形で支持片１５に生じる応力による支持片１５の面方向（ただし、第２の実施形態におけるビード３３の場合における面方向とは交差する方向）での変形を生じ易くするのに機能する。したがって本実施形態の場合も第２の実施形態と同様に、平板状支持部材１４の送風ガイド１２に対する変形追従性をさらに高めることができ、平板状支持部材１４による送風ガイド１２の支持をより安定的なものとすることができる。
【００３８】
なお、以上の構成などを除いて本実施形態における室外機４１や送風ガイド支持構造４２は、第１の実施形態における室外機２や送風ガイド支持構造１と同様であり、室外機２や送風ガイド支持構造１と共通する構成などについては図１〜図３におけるのと同一の符号を付して示し、上での説明を援用するものとする。
【００３９】
以上、本発明を実施するための形態について説明したが、これらは代表的な例に過ぎず、本発明はその趣旨を逸脱することのない範囲で様々な形態で実施することができる。例えば上記各実施形態では送風ガイド支持構造を空気調和機室外機に適用する場合としていたが、これに限られず、様々な機器や装置に適用することが可能である。また上記各実施形態では空気調和機室外機が上方吹出しタイプであったが、側方吹出しタイプの空気調和機室外機であってもよい。また上記各実施形態では、平板状支持部材における支持片に設ける柔化部をビードで形成するようにしていたが、ビードに代えてスリットで柔化部を形成するようにすることも可能である。
【図面の簡単な説明】
【００４０】
【図１】第１の実施形態による送風ガイド支持構造を適用した空気調和機室外機の構成を部分的分解の斜視状態を示す図である。
【図２】図１の空気調和機室外機の平面断面視状態と側面断面視状態を示す図である。
【図３】第１の実施形態による送風ガイド支持構造を部分的に拡大した側面断面視状態として示す図である。
【図４】他の例による平板状支持部材の構成を示す図である。
【図５】第２の実施形態による送風ガイド支持構造を適用した空気調和機室外機の平面断面視状態を示す図である。
【図６】第２の実施形態による送風ガイド支持構造を部分的に拡大した側面断面視状態として示す図である。
【図７】第３の実施形態による送風ガイド支持構造を適用した空気調和機室外機の平面断面視状態を示す図である。
【図８】第３の実施形態による送風ガイド支持構造を部分的に拡大した側面断面視状態として示す図である。
【符号の説明】
【００４１】
１、３２、４２    送風ガイド支持構造
２、３１、４１    空気調和機室外機
３    筐体
５    熱交換器
１１    送風機
１２    送風ガイド
１４    平板状支持部材
１５    支持片
１８    通気開口部
３３、４３    ビード（柔化部）
Ｆ    空気流
【図１】
2010032138.tif 000003
【図２】
2010032138.tif 000004
【図３】
2010032138.tif 000005
【図４】
2010032138.tif 000006
【図５】
2010032138.tif 000007
【図６】
2010032138.tif 000008
【図７】
2010032138.tif 000009
【図８】
2010032138.tif 000010